(57)【要約】【課題】貯水タンクをコンパクトに折り畳むことができる加湿器を提供する。【解決手段】シリコン材又は軟質樹脂材で折畳み可能に形成される貯水タンク１２と、貯水タンクの上部に取外し可能に嵌合する本体部１３と、本体部の中央部分から垂下する吸水紐１４とを少なくとも備え、吸水紐の上部に有する超音波振動板２０を振動させてミストを発生させる仕組みの超音波式の加湿器１１である。貯水タンクは、周面に沿って偶数箇所に折畳み用の折り目１５が形成され、且つ折り畳んだ状態において吸水紐を位置させる隙間部を有する。【選択図】図３
0003201739.tif 000002
【実用新案登録請求の範囲】
【請求項１】
シリコン材又は軟質樹脂材で折畳み可能に形成される貯水タンクと、該貯水タンクの上部に取外し可能に嵌合する本体部と、該本体部の中央部分から垂下する吸水紐とを少なくとも備え、該吸水紐の上部に有する超音波振動板を振動させてミストを発生させる仕組みの超音波式の加湿器であって、
前記貯水タンクは、周面に沿って偶数箇所に折畳み用の折り目が形成され、且つ折り畳んだ状態において前記吸水紐を位置させる隙間部を有すること
を特徴とする加湿器。
【請求項２】
前記貯水タンクの外周面及び／又は内周面において、前記折り目に沿ってテーパー部分を有し、当該折り目が肉薄に形成されること
を特徴とする請求項１に記載の加湿器。
【請求項３】
前記吸水紐の上部には、当該吸水紐を挟持する一対の挟持部材が設けられており、該挟持部材を前記本体部の下部に嵌合する構成であり、
当該挟持部材を本体部の下部に嵌合した状態において、前記吸水紐の上部が前記超音波振動板に接触する構成であること
を特徴とする請求項１に記載の加湿器。
【考案の詳細な説明】
【技術分野】
【０００１】
本考案は、シリコン製又は軟質樹脂製の貯水タンクをコンパクトに折り畳むことができる加湿器に関するものである。
【背景技術】
【０００２】
従来の加湿器としては、例えば実用新案登録第３１９４６９４号公報に開示された構成の超音波加湿器が知られている。この超音波加湿器は、水を貯水する貯水タンクと、貯水タンクの下部に設けられる霧化槽とから構成される（特許文献１参照）。
【０００３】
霧化槽は、貯水タンクから供給された水をミストに変換する超音波ユニットと、ミストを排出通路に送る送風機等を備えており、排出通路を通過したミストが噴出口から外部へ排出される仕組みである。
【先行技術文献】
【特許文献】
【０００４】
【特許文献１】実用新案登録第３１９４６９４号公報
【考案の概要】
【考案が解決しようとする課題】
【０００５】
この従来例の超音波加湿器においては、貯水タンクの下部に霧化槽が設けられて、霧化槽に超音波ユニットや送風機等を備えるので、全体的に形状が大形になるという欠点を有している。つまり、卓上型の小さな加湿器には適さない構造である。
【０００６】
また、超音波加湿器を使用しない時に収納する場合は、大形の形状に対応する広い収納スペースが必要であって邪魔になるという欠点も有している。
【０００７】
従って、従来例における超音波加湿器においては、コンパクトで小さめな形状に形成することと、収納する時に広い収納スペースを必要としないこととに解決しなければならない課題を有している。
【課題を解決するための手段】
【０００８】
前記従来例の課題を解決するための本考案の要旨は、シリコン材又は軟質樹脂材で折畳み可能に形成される貯水タンクと、該貯水タンクの上部に取外し可能に嵌合する本体部と、該本体部の中央部分から垂下する吸水紐とを少なくとも備え、該吸水紐の上部に有する超音波振動板を振動させてミストを発生させる仕組みの超音波式の加湿器であって、前記貯水タンクは、周面に沿って偶数箇所に折畳み用の折り目が形成され、且つ折り畳んだ状態において前記吸水紐を位置させる隙間部を有することである。
【０００９】
また、前記貯水タンクの外周面及び／又は内周面において、前記折り目に沿ってテーパー部分を有し、当該折り目が肉薄に形成されること、；
前記吸水紐の上部には、当該吸水紐を挟持する一対の挟持部材が設けられており、該挟持部材を前記本体部の下部に嵌合する構成であり、当該挟持部材を本体部の下部に嵌合した状態において、前記吸水紐の上部が前記超音波振動板に接触する構成であること、；
を含むものである。
【考案の効果】
【００１０】
本考案に係る加湿器によれば、貯水タンクとその上部に嵌合する本体部との２部材で構成されるので、形状を小型でコンパクトに形成できる。従って、卓上式の小さな加湿器の構造に最適である。
また、貯水タンクは、周面の折り目に沿って折り畳んで低背に形成できるので、収納時に広い収納スペースを必要せず、邪魔にならない。
そして、貯水タンクの周面に沿って偶数箇所に折畳み用の折り目が形成されるので、貯水タンクを偶数回折り畳むこととなり、その結果、折り畳んだ状態において、本体部が当該貯水タンクの上部に嵌合した状態で位置できるという種々の優れた効果を奏する。
【００１１】
貯水タンクの外周面及び／又は内周面において、前記折り目に沿ってテーパー部分を有し、当該折り目が肉薄に形成されることによって、折り目が折畳み易くまた展開し易いという優れた効果を奏する。
【００１２】
吸水紐の上部には、当該吸水紐を挟持する一対の挟持部材が設けられており、挟持部材を本体部の下部に嵌合する構成であり、当該挟持部材を本体部の下部に嵌合した状態において、吸水紐の上部が超音波振動板に接触する構成であることによって、吸水紐の取り外しや取り付けが簡単に行える。従って、貯水タンクを折り畳んで加湿器を収納する場合に、吸水紐を取り外すのに便利である。また、吸水紐の交換が簡単に行えるという種々な優れた効果を奏する。
【図面の簡単な説明】
【００１３】
【図１】本考案に係る加湿器１１の斜視図である。
【図２】本考案に係る加湿器１１の正面図である。
【図３】図２のＡ−Ａ線断面図である。
【図４】貯水タンク１２と本体部１３とを離隔して示す加湿器１１の斜視図である。
【図５】本体部１３を分解して示す斜視図である。
【図６】挟持部材２２を離隔して示す本体部１３の斜視図である。
【図７】貯水タンク１２を折り畳んだ状態の加湿器１１の斜視図である。
【図８】貯水タンク１２を折り畳んだ状態の加湿器１１の正面図である。
【図９】図８のＢ−Ｂ線断面図である。
【考案を実施するための形態】
【００１４】
次に、本考案の実施の形態について図面を参照しながら説明する。まず、図１から図４において、符号１１は加湿器を示し、この加湿器１１は、水を貯水する貯水タンク１２と、貯水タンク１２の上部に取外し可能に嵌合する本体部１３と、本体部１３の中央部分から垂下する吸水紐１４とから構成される。
【００１５】
貯水タンク１２は、シリコン材又は軟質樹脂材で形成されており、上部に円形の開口部１６を有し（図４参照）、また、周面に沿って複数箇所に折畳み用の折り目１５が形成されている。この折り目１５に沿って貯水タンク１２を折り畳むことが可能であり、コンパクトに折り畳んで貯水タンク１２を低背に形成できる（図７から図９参照）。
【００１６】
折り目１５は、貯水タンク１２の周面に沿って適宜間隔を開けて偶数箇所（各図では４箇所）に形成される。従って、貯水タンク１２を偶数回折り畳むこととなり、その結果、折り畳んだ状態において、本体部１３が当該貯水タンク１２の上部に嵌合した状態で位置できる（図７から図９参照）。
【００１７】
折り目１５に沿った位置には、図３及び図９に示すように、テーパー部分１７を有する。このテーパー部分１７の存在によって、折り目１５に行くに沿って厚みが肉薄に形成されると共に、折り目１５が薄手に形成される。従って、折り目１５が折畳み易くまた展開し易いこととなる。
【００１８】
また、図９に示すように、貯水タンク１２を折り畳んだ状態において、吸水紐１４を位置させる隙間部１８を有する。
【００１９】
本体部１３は、図４から図６に示すように、所要高さの略リング状に形成され、中心部に貫通孔１９が形成されている。本体部１３は、貯水タンク１２の上部の開口部１６に取外し可能に嵌合する。注水の際には、本体部１３を取り外して開口部１６から貯水タンク１２の中に水を注ぐ（図４参照）。
【００２０】
本体部１３の貫通孔１９の上方には、図３及び図９に示すように、超音波振動板２０が配設されており、超音波振動板２０は、図示しない超音波振動発生部に連結し、超音波振動発生部は電源コード２１に連結している。
【００２１】
電源コード２１は、図示しないパソコンに接続したＵＳＢケーブルに接続して、このＵＳＢケーブルから給電される仕組みである。
【００２２】
吸水紐１４は、繊維状で貯水タンク１２内の水を吸水する。吸水紐１４の上部には、図５及び図６に示すように、当該吸水紐１４を挟持する一対の挟持部材２２が取り付けられる。
【００２３】
一対の挟持部材２２にはそれぞれ湾曲部２３が形成されており（図６参照）、この湾曲部２３が吸水紐１４を保持する状態で挟み込む。そして、この挟持部材２２を本体部１３の下部に取外し可能に嵌合する構成である。
【００２４】
また、挟持部材２２を本体部１３の下部に嵌合した状態において、吸水紐１４の上部が超音波振動板２０に接触する構成である（図３参照）。この状態で超音波振動板２０を振動させてミストを発生させ、ミストを噴出口２４から外部へ排出する。
【００２５】
このように、挟持部材２２を本体部１３の下部に取外し可能に嵌合する構成であることによって、吸水紐１４の取り外しや取り付けが簡単に行える。また、貯水タンク１２を折り畳んで加湿器１１を収納する際に、吸水紐１４を取り外すのに便利である。そして、吸水紐１４の交換が簡単に行える。
【００２６】
以上のように構成される加湿器１１は、貯水タンク１２とその上部の開口部１６に嵌合する本体部１３との２部材で概略構成されるので形状を小型でコンパクトに形成できる。
また、貯水タンク１２は、周面の折り目１５に沿って折り畳んで低背に形成できるので、収納時に広い収納スペースを必要せず邪魔にならない。
【符号の説明】
【００２７】
１１  加湿器
１２  貯水タンク
１３  本体部
１４  吸水紐
１５  折り目
１６  開口部
１７  テーパー部分
１８  隙間部
１９  貫通孔
２０  超音波振動板
２１  電源コード
２２  挟持部材
２３  湾曲部
２４  噴出口
【図１】
0003201739.tif 000003
【図２】
0003201739.tif 000004
【図３】
0003201739.tif 000005
【図４】
0003201739.tif 000006
【図５】
0003201739.tif 000007
【図６】
0003201739.tif 000008
【図７】
0003201739.tif 000009
【図８】
0003201739.tif 000010
【図９】
0003201739.tif 000011